(57)【要約】【課題】  それぞれ表示部を備える複数の携帯情報端末装置を用いて、容易に１つの大きな画面を構築する。【解決手段】  画像表示システム（１）は、それぞれ表示部（３８）を備える複数の携帯情報端末装置（２）と、互いに連結された複数の端末保持体（１０）を有するホルダ（３）とを含み、各端末保持体（１０）には、ホルダ（３）における配置位置を示す位置情報が予め格納された無線チップ（１２）が設けられ、各携帯情報端末装置（２）は、端末保持体（１０）に装着されると、無線チップ（１２）から位置情報を取得し、該位置情報に基づいて主端末か従端末かを判定し、主端末であれば、自装置の配置位置に対応した画像を表示部（３８）に表示させ、従端末であれば、主端末からの指令に基づいて、自装置の配置位置に対応した画像を表示部（３８）に表示させる。【選択図】      図１
2014071807.tif 000002
【特許請求の範囲】
【請求項１】
画像データに応じた画像を表示する表示部をそれぞれ備える複数の携帯情報端末装置と、
前記携帯情報端末装置をそれぞれ保持可能に構成された複数の端末保持体を有し、該複数の端末保持体を互いに連結することによって構成されるホルダとを含み、予め定めるコンテンツのコンテンツ画像を、前記ホルダによって保持された各携帯情報端末装置の表示部を用いて表示する画像表示システムであって、
前記ホルダの各端末保持体は、
ホルダにおける配置位置を示す位置情報が予め格納され、該位置情報を、外部から受信した情報読取信号に応答して送信する情報送信部を備え、
各携帯情報端末装置は、
情報読取信号を送信して、前記情報送信部から前記位置情報を取得する情報読取部と、
他の携帯情報端末装置と通信する通信部と、
表示部、情報読取部および通信部を制御する制御部とを含み、
各携帯情報端末装置の制御部は、自装置の情報読取部に前記情報読取信号を送信させ、前記位置情報が取得されると、取得された位置情報に基づいて、自装置が主端末であるか従端末であるかを判定し、従端末であれば、自装置の通信部を制御して自装置の位置情報を主端末へ通知させ、主端末であれば、自装置の通信部を介して他の携帯情報端末装置の位置情報を取得し、
主端末の制御部は、自装置の情報読取部によって取得された位置情報に基づいて、前記コンテンツ画像における、自装置の配置位置に対応した画像を、自装置の表示部に表示させるとともに、取得した他の携帯情報端末装置の位置情報に基づいて、前記コンテンツ画像における、該他の携帯情報端末装置の配置位置に対応した画像を、該他の携帯情報端末装置の表示部に表示させるための表示指令を、自装置の通信部に送信させ、
従端末の制御部は、自装置の通信部が受信した前記表示指令に基づいて、自装置の配置位置に対応した画像を、自装置の表示部に表示させることを特徴とする画像表示システム。
【請求項２】
前記主端末は、前記コンテンツ画像の画像データが格納される記憶部を備え、
前記主端末の制御部は、取得した他の携帯情報端末装置の位置情報に基づいて、該他の携帯情報端末装置の配置位置に対応した画像の画像データを、前記記憶部から抽出し、抽出した画像データを前記表示指令とともに、自装置の通信部に送信させ、
前記従端末の制御部は、自装置の通信部が受信した画像データに応じた画像を、自装置の表示部に表示させることを特徴とする請求項１に記載の画像表示システム。
【請求項３】
前記予め定めるコンテンツは、連続した識別番号が割り振られた複数のページから成り、
前記記憶部には、各ページのコンテンツ画像の画像データが格納され、
前記主端末の制御部は、取得した他の携帯情報端末装置の位置情報に基づいて、該他の携帯情報端末装置の配置位置に対応したページの画像データを、前記記憶部から抽出し、抽出した画像データを前記表示指令とともに、自装置の通信部に送信させることを特徴とする請求項２に記載の画像表示システム。
【請求項４】
各携帯情報端末装置は、前記コンテンツ画像の画像データが格納される記憶部を備え、
前記主端末の制御部は、取得した他の携帯情報端末装置の位置情報に基づいて、該他の携帯情報端末装置の配置位置に対応した画像の画像データを、前記記憶部に記憶されるコンテンツ画像の画像データの中から特定するための画像特定情報を生成し、生成した画像特定情報を前記表示指令とともに、自装置の通信部に送信させ、
前記従端末の制御部は、自装置の通信部が受信した画像特定情報によって特定される画像データを自装置の記憶部から抽出し、抽出した画像データに応じた画像を、自装置の表示部に表示させることを特徴とする請求項１に記載の画像表示システム。
【請求項５】
前記予め定めるコンテンツは、連続した識別番号が割り振られた複数のページから成り、
前記記憶部には、各ページのコンテンツ画像の画像データが格納され、
前記主端末の制御部は、取得した他の携帯情報端末装置の位置情報に基づいて、該他の携帯情報端末装置の配置位置に対応したページの識別番号を取得し、取得した識別番号を前記表示指令とともに、自装置の通信部に送信させることを特徴とする請求項４に記載の画像表示システム。
【請求項６】
各携帯情報端末装置は、ホルダによって保持された各携帯情報端末装置の表示部によって表示されるコンテンツ画像の表示態様を変更するための変更操作を受け付ける操作部を備え、
前記従端末の制御部は、自装置の操作部が変更操作を受け付けると、該変更操作を通知するための変更通知信号を、自装置の通信部に送信させ、
前記主端末の制御部は、自装置の操作部が変更操作を受け付けると、または自装置の通信部が変更通知信号を受信すると、該変更操作に応じて、自装置の表示部に表示される画像の表示態様を変更するとともに、他の携帯情報端末装置の表示部に表示される画像を、該他の携帯情報端末装置の配置位置に対応して表示態様を変更させるための変更指令を、自装置の通信部に送信させ、
前記従端末の制御部は、自装置の通信部が受信した前記変更指令に基づいて、自装置の表示部に表示される画像の表示態様を変更することを特徴とする請求項１〜５のいずれか１つに記載の画像表示システム。
【請求項７】
前記情報読取部は、近距離無線通信方式を用いて、前記情報送信部から前記位置情報を取得することを特徴とする請求項１〜６のいずれか１つに記載の画像表示システム。
【請求項８】
画像データに応じた画像を表示する表示部を備える複数の携帯情報端末装置をそれぞれ保持可能に構成された複数の端末保持体を有し、該複数の端末保持体を互いに連結することによって構成されるホルダであって、
各端末保持体が、ホルダにおける配置位置を示す位置情報が予め格納され、該位置情報を、外部から受信した情報読取信号に応答して送信する情報送信部を備えていることを特徴とするホルダ。
【請求項９】
前記複数の端末保持体は、互いに角変位可能に連結され、
端末保持体を角変位させることによって折り畳み可能に構成されていることを特徴とする請求項８に記載のホルダ。
【請求項１０】
コンピュータを、請求項１〜７のいずれか１つに記載の画像表示システムにおける携帯情報端末装置の制御部として機能させるためのプログラム。
【請求項１１】
請求項１０に記載のプログラムを記録したコンピュータ読取可能な記録媒体。
【発明の詳細な説明】
【技術分野】
【０００１】
本発明は、それぞれ表示部を備える複数の携帯情報端末装置を利用した画像表示システム、ホルダ、プログラムおよび記録媒体に関する。
【背景技術】
【０００２】
複数の表示装置を利用して１つの大きな画面を構築する画像表示システムが種々提案されている。たとえば、「Ｊｕｎｋｙａｒｄ  Ｊｕｍｂｏｔｒｏｎ」と称する技術では、画像を表示可能なディスプレイを備えるスマートフォンやノートパソコンなどの情報機器を複数台寄せ集めて並べ、各機器のディスプレイを利用して、１つの大きな画面を構築することを可能にしている。
【０００３】
この画像表示システムでは、各機器を複数台並べ、各機器におけるディスプレイの位置を予め登録した上で、各機器に、登録された位置に応じた画像データを与えて表示させることで、各機器を互いに連携させて、１つの大きな画面を構築している。
【０００４】
したがって、この画像表示システムを利用して、１つの大きな画面を適正に表示させるためには、登録時の各機器の位置関係を維持する必要がある。このため、この画像表示システムを持ち運んで利用する場合には、登録時の各機器の位置関係を維持しなければならないが、この技術では、登録時の各機器の位置関係を維持したまま持ち運ぶ方法についてまでは提案されていない。
【０００５】
たとえば特許文献１には、複数の表示装置を利用して１つの大きな画面を構築する画像表示システムであって、携帯可能なものが提案されている。しかしながら、この特許文献１に記載の画像表示システムは、複数の表示装置が組み付けられて構成されるものであり、前記の「Ｊｕｎｋｙａｒｄ  Ｊｕｍｂｏｔｒｏｎ」のように、それぞれ表示部を備える複数の携帯情報端末装置を利用して、１つの大きな画面を構築するものではない。
【先行技術文献】
【特許文献】
【０００６】
【特許文献１】特開２００９−２１１５４７号公報
【発明の概要】
【発明が解決しようとする課題】
【０００７】
本発明の目的は、それぞれ表示部を備える複数の携帯情報端末装置を用いて、容易に１つの大きな画面を構築することができる画像表示システム、ホルダ、プログラムおよび記録媒体を提供する。
【課題を解決するための手段】
【０００８】
本発明は、画像データに応じた画像を表示する表示部をそれぞれ備える複数の携帯情報端末装置と、
前記携帯情報端末装置をそれぞれ保持可能に構成された複数の端末保持体を有し、該複数の端末保持体を互いに連結することによって構成されるホルダとを含み、予め定めるコンテンツのコンテンツ画像を、前記ホルダによって保持された各携帯情報端末装置の表示部を用いて表示する画像表示システムであって、
前記ホルダの各端末保持体は、
ホルダにおける配置位置を示す位置情報が予め格納され、該位置情報を、外部から受信した情報読取信号に応答して送信する情報送信部を備え、
各携帯情報端末装置は、
情報読取信号を送信して、前記情報送信部から前記位置情報を取得する情報読取部と、
他の携帯情報端末装置と通信する通信部と、
表示部、情報読取部および通信部を制御する制御部とを含み、
各携帯情報端末装置の制御部は、自装置の情報読取部に前記情報読取信号を送信させ、前記位置情報が取得されると、取得された位置情報に基づいて、自装置が主端末であるか従端末であるかを判定し、従端末であれば、自装置の通信部を制御して自装置の位置情報を主端末へ通知させ、主端末であれば、自装置の通信部を介して他の携帯情報端末装置の位置情報を取得し、
主端末の制御部は、自装置の情報読取部によって取得された位置情報に基づいて、前記コンテンツ画像における、自装置の配置位置に対応した画像を、自装置の表示部に表示させるとともに、取得した他の携帯情報端末装置の位置情報に基づいて、前記コンテンツ画像における、該他の携帯情報端末装置の配置位置に対応した画像を、該他の携帯情報端末装置の表示部に表示させるための表示指令を、自装置の通信部に送信させ、
従端末の制御部は、自装置の通信部が受信した前記表示指令に基づいて、自装置の配置位置に対応した画像を、自装置の表示部に表示させることを特徴とする画像表示システムである。
【０００９】
また本発明は、前記主端末は、前記コンテンツ画像の画像データが格納される記憶部を備え、
前記主端末の制御部は、取得した他の携帯情報端末装置の位置情報に基づいて、該他の携帯情報端末装置の配置位置に対応した画像の画像データを、前記記憶部から抽出し、抽出した画像データを前記表示指令とともに、自装置の通信部に送信させ、
前記従端末の制御部は、自装置の通信部が受信した画像データに応じた画像を、自装置の表示部に表示させることを特徴とする。
【００１０】
また本発明は、前記予め定めるコンテンツは、連続した識別番号が割り振られた複数のページから成り、
前記記憶部には、各ページのコンテンツ画像の画像データが格納され、
前記主端末の制御部は、取得した他の携帯情報端末装置の位置情報に基づいて、該他の携帯情報端末装置の配置位置に対応したページの画像データを、前記記憶部から抽出し、抽出した画像データを前記表示指令とともに、自装置の通信部に送信させることを特徴とする。
【００１１】
また本発明は、各携帯情報端末装置は、前記コンテンツ画像の画像データが格納される記憶部を備え、
前記主端末の制御部は、取得した他の携帯情報端末装置の位置情報に基づいて、該他の携帯情報端末装置の配置位置に対応した画像の画像データを、前記記憶部に記憶されるコンテンツ画像の画像データの中から特定するための画像特定情報を生成し、生成した画像特定情報を前記表示指令とともに、自装置の通信部に送信させ、
前記従端末の制御部は、自装置の通信部が受信した画像特定情報によって特定される画像データを自装置の記憶部から抽出し、抽出した画像データに応じた画像を、自装置の表示部に表示させることを特徴とする。
【００１２】
また本発明は、前記予め定めるコンテンツは、連続した識別番号が割り振られた複数のページから成り、
前記記憶部には、各ページのコンテンツ画像の画像データが格納され、
前記主端末の制御部は、取得した他の携帯情報端末装置の位置情報に基づいて、該他の携帯情報端末装置の配置位置に対応したページの識別番号を取得し、取得した識別番号を前記表示指令とともに、自装置の通信部に送信させることを特徴とする。
【００１３】
また本発明は、各携帯情報端末装置は、ホルダによって保持された各携帯情報端末装置の表示部によって表示されるコンテンツ画像の表示態様を変更するための変更操作を受け付ける操作部を備え、
前記従端末の制御部は、自装置の操作部が変更操作を受け付けると、該変更操作を通知するための変更通知信号を、自装置の通信部に送信させ、
前記主端末の制御部は、自装置の操作部が変更操作を受け付けると、または自装置の通信部が変更通知信号を受信すると、該変更操作に応じて、自装置の表示部に表示される画像の表示態様を変更するとともに、他の携帯情報端末装置の表示部に表示される画像を、該他の携帯情報端末装置の配置位置に対応して表示態様を変更させるための変更指令を、自装置の通信部に送信させ、
前記従端末の制御部は、自装置の通信部が受信した前記変更指令に基づいて、自装置の表示部に表示される画像の表示態様を変更することを特徴とする。
【００１４】
また本発明は、前記情報読取部は、近距離無線通信方式を用いて、前記情報送信部から前記位置情報を取得することを特徴とする。
【００１５】
また本発明は、画像データに応じた画像を表示する表示部を備える複数の携帯情報端末装置をそれぞれ保持可能に構成された複数の端末保持体を有し、該複数の端末保持体を互いに連結することによって構成されるホルダであって、
各端末保持体が、ホルダにおける配置位置を示す位置情報が予め格納され、該位置情報を、外部から受信した情報読取信号に応答して送信する情報送信部を備えていることを特徴とするホルダである。
【００１６】
また本発明は、前記複数の端末保持体は、互いに角変位可能に連結され、
端末保持体を角変位させることによって折り畳み可能に構成されていることを特徴とする。
【００１７】
また本発明は、コンピュータを、前記画像表示システムにおける携帯情報端末装置の制御部として機能させるためのプログラムである。
【００１８】
また本発明は、前記プログラムを記録したコンピュータ読取可能な記録媒体である。
【発明の効果】
【００１９】
本発明によれば、それぞれ表示部を備える複数の携帯情報端末装置を用いて、容易に１つの大きな画面を構築することができる。
【図面の簡単な説明】
【００２０】
【図１】本発明の一実施形態に係る画像表示システム１の構成の一例を概略的に示す斜視図である。
【図２】折り畳まれた状態のホルダ３を示す斜視図である。
【図３】本実施形態に係る画像表示システム１の構成の一例を示すブロック図である。
【図４】携帯情報端末装置２の制御部３７が画面連携プログラム４０を実行することによって行われる画像表示処理の処理手順を示すフローチャートである。
【図５】ホルダ３に装着された各携帯情報端末装置２の表示面３８ａによってコンテンツ画像が表示された状態の一例を示す図である。
【図６】ホルダ３に装着された各携帯情報端末装置２の表示面３８ａによってコンテンツ画像が表示された状態の一例を示す図である。
【図７】ホルダ３における３つの端末保持体１０Ａ〜１０Ｃにのみ携帯情報端末装置２が装着された場合のコンテンツ画像の表示状態を示す図である。
【図８】ホルダ３における３つの端末保持体１０Ａ，１０Ｂ，１０Ｄにのみ携帯情報端末装置２が装着された場合のコンテンツ画像の表示状態を示す図である。
【発明を実施するための形態】
【００２１】
図１は、本発明の一実施形態に係る画像表示システム１の構成の一例を概略的に示す斜視図である。画像表示システム１は、画像データに応じた画像を表示可能な表示部３８をそれぞれ備える複数台の携帯情報端末装置２と、これら複数台の携帯情報端末装置２を、それぞれの表示部３８における表示面３８ａが平面的に並べて配置されるように保持するホルダ３とによって構成される。
【００２２】
本実施形態においては、携帯情報端末装置２は、スマートフォンによって実現されるものとして説明する。すなわち、携帯情報端末装置２は、その外形形状が、大略的に矩形板状を成しており、その厚み方向の一方側の主面部である正面部５１に、表示面３８ａが設けられている。
【００２３】
ホルダ３は、それぞれ１台の携帯情報端末装置２を保持可能に構成された複数の端末保持体１０を備え、これら複数の端末保持体１０を、平面的に並べて配置し、それらを互いに連結することによって構成されている。
【００２４】
本実施形態においては、図１に示すように、ホルダ３は、４つの端末保持体１０を備え、これら４つの端末保持体１０を、同一の姿勢で一列に並べて配置し、隣接する端末保持体１０同士を互いに連結することによって構成されている。
【００２５】
以下、端末保持体１０の構成について説明する。
なお、本実施形態においては、ホルダ３を構成している４つの端末保持体１０は、それぞれ同一に構成されているものとする。また、ホルダ３において、これら４つの端末保持体１０を区別して説明する場合には、図１に示すように、その並び順に従って、参照符「１０」の末尾に、アルファベットＡ〜Ｄを付して示すこととする。
【００２６】
端末保持体１０は、携帯情報端末装置２を保持する保持部１１と、保持部１１に内蔵された無線チップ１２とを含んで構成される。
【００２７】
保持部１１は、本実施形態においては、厚み方向の一方側に、携帯情報端末装置２が載置される載置面１５ａを有する矩形平板状の載置部１５と、載置部１５に設けられ、載置面１５ａに載置された携帯情報端末装置２を、載置面１５ａ上で保持するための保持構造部１６とを備えて構成される。
【００２８】
載置部１５は、その載置面１５ａの大きさが、端末保持体１０による保持対象の携帯情報端末装置２の主面部の大きさと略同一か、あるいは主面部の大きさよりも僅かに大きくなるように形成される。
【００２９】
保持構造部１６は、厚み方向の他方側の主面部である背面部５２が載置面１５ａに臨むような姿勢で載置面１５ａに載置された携帯情報端末装置２を、その正面部５１に設けられた表示面３８ａが外部に露出するように、換言すれば、表示面３８ａを外部から視認可能な態様で、載置面１５ａ上で保持するための構造を有していればよい。
【００３０】
保持構造部１６は、たとえば、本実施形態においては、載置部１５における周縁部のうち、長手方向に延びる一対の縁辺部からそれぞれ立設する側壁部１６ａ，１６ｂによって実現されている。
【００３１】
この一対の側壁部１６ａ，１６ｂは、載置面１５ａに載置された携帯情報端末装置２における長手方向に延びる各側部５３に対して、それぞれ弾発的に当接することによって、その携帯情報端末装置２を載置面１５ａ上で保持するように構成されている。
【００３２】
情報送信部である無線チップ１２は、保持部１１に内蔵され、本実施形態においては、図１に示すように、載置部１５の略中央部分に埋設されている。無線チップ１２には、記憶部２１が搭載されており、この記憶部２１には、所定のデータが予め格納されている（図３参照）。
【００３３】
無線チップ１２は、記憶部２１に格納されている所定のデータを、たとえばＮＦＣ（Near Field Communication）やＴｒａｎｓｆｅｒＪｅｔ（登録商標）などの近距離無線通信方式によって、当該無線チップ１２が設けられている端末保持体１０に装着された携帯情報端末装置２に送信する機能を有している。
【００３４】
無線チップ１２に格納される所定のデータには、ホルダ３全体において、当該無線チップ１２が設けられている端末保持体１０が配置されている位置を示す情報（以下、「位置情報」と称する）２２が少なくとも含まれる。
【００３５】
本実施形態の場合、端末保持体１０Ａに設けられる無線チップ１２には、並び順の１番目であることを示す位置情報２２が格納され、端末保持体１０Ｂに設けられる無線チップ１２には、並び順の２番目であることを示す位置情報２２が格納され、端末保持体１０Ｃに設けられる無線チップ１２には、並び順の３番目であることを示す位置情報２２が格納され、端末保持体１０Ｄに設けられる無線チップ１２には、並び順の４番目であることを示す位置情報２２が格納されている。
【００３６】
また、本実施形態においては、無線チップ１２の記憶部２１には、前記位置情報２２のほかに、さらに、ホルダ３に装着された複数の携帯情報端末装置２同士が通信を行うために必要な認証処理を簡略する認証プログラム２３が格納されている。
【００３７】
ホルダ３は、本実施形態においては、上記のように構成される４つの端末保持体１０を、折り畳み可能に連結することによって構成されている。具体的には、４つの端末保持体１０を、同一の姿勢で、一方の側壁部１６ａと他方の側壁部１６ｂとが隣り合うように一列に並べて配置し、隣接する端末保持体１０同士を、側壁部１６ａ，１６ｂの延在方向に平行に延びる軸線まわりに、互いに角変位可能に連結することによって構成されている。
【００３８】
図１を参照して説明すると、端末保持体１０Ａと端末保持体１０Ｂとは、たとえばヒンジなどの連結具を用いて、端末保持体１０Ａの他方の側壁部１６ｂにおける上面部と、端末保持体１０Ｂの一方の側壁部１６ａにおける上面部との間で、該側壁部１６ａ，１６ｂの延在方向に平行に延びる軸線Ｊ１まわりに、互いに角変位可能に連結される。
【００３９】
また、端末保持体１０Ｂと端末保持体１０Ｃとは、たとえばヒンジなどの連結具を用いて、端末保持体１０Ｂの他方の側壁部１６ｂにおける下端部と、端末保持体１０Ｃの一方の側壁部１６ａにおける下端部との間で、該側壁部１６ａ，１６ｂの延在方向に平行に延びる軸線Ｊ２まわりに、互いに角変位可能に連結される。
【００４０】
また、端末保持体１０Ｃと端末保持体１０Ｄとは、たとえばヒンジなどの連結具を用いて、端末保持体１０Ｃの他方の側壁部１６ｂにおける上面部と、端末保持体１０Ｄの一方の側壁部１６ａにおける上面部との間で、該側壁部１６ａ，１６ｂの延在方向に平行に延びる軸線Ｊ３まわりに、互いに角変位可能に連結される。
【００４１】
図１では、上記のように端末保持体１０Ａ〜１０Ｄが連結されたホルダ３を、展開した状態（以下、「展開状態」と称する）を示している。この展開状態では、端末保持体１０Ｂは、端末保持体１０Ａに対する軸線Ｊ１まわりの角変位方向ｒ１１への角変位が、端末保持体１０Ａの他方の側壁部１６ｂによって規制され、端末保持体１０Ｃは、端末保持体１０Ｂに対する軸線Ｊ２まわりの角変位方向ｒ２１への角変位が、端末保持体１０Ｂの他方の側壁部１６ｂによって規制され、端末保持体１０Ｄは、端末保持体１０Ｃに対する軸線Ｊ３まわりの角変位方向ｒ３１への角変位が、端末保持体１０Ｃの他方の側壁部１６ｂによって規制されている。
【００４２】
図２は、折り畳まれた状態のホルダ３を示す斜視図である。図１に示す展開状態のホルダ３から、端末保持体１０Ｂを、軸線Ｊ１まわりの角変位方向ｒ１２へ、端末保持体１０Ａの他方の側壁部１６ｂによって角変位が規制されるまで、約１８０度角変位させ、端末保持体１０Ｃを、軸線Ｊ２まわりの角変位方向ｒ２２へ、端末保持体１０Ｂの載置部４５によって角変位が規制されるまで、約１８０度角変位させ、さらに、端末保持体１０Ｄを、軸線Ｊ３まわりの角変位方向ｒ３２へ、端末保持体１０Ｃの他方の側壁部１６ｂによって角変位が規制されるまで、約１８０度角変位させることによって、図２に示すように、つづら折り状に折り畳むことができる。
【００４３】
図３は、本実施形態に係る画像表示システム１の構成の一例を示すブロック図である。図３に示すように、本実施形態に係る画像表示システム１を構成するホルダ３は、端末保持体１０Ａ〜１０Ｄのそれぞれに設けられた無線チップ１２を有し、各無線チップ１２には、記憶部２１が搭載され、記憶部２１には、前記のように、位置情報２２と認証プログラム２３とが予め格納されている。
【００４４】
また、画像表示システム１を構成する携帯情報端末装置２は、タッチパネル３１と、キー操作部３２と、通信部３３と、無線チップ読取部３４と、フラッシュメモリ３５と、ＲＡＭ（Random Access Memory）３６と、制御部３７とを含んで構成される。
【００４５】
タッチパネル３１は、ユーザによってタッチ操作される操作面である表示面３８ａを有し、図１に示すように、正面部５１においてその表示面３８ａが外部に露出するように、筐体４２内に収容されている。
【００４６】
タッチパネル３１は、その表示面３８ａに画像データに応じた画像を表示する表示部３８と、表示部３８に重畳されたタッチセンサ３９とを有する。表示部３８は、たとえば液晶パネルおよびバックライトを備える液晶ディスプレイ装置や、有機ＥＬ（Electro-Luminescence）ディスプレイ装置などの公知の表示装置によって実現される。
【００４７】
タッチセンサ３９は、たとえば投影型静電容量方式のセンサによって実現され、ユーザが指やスタイラスなどを用いて、表示面３８ａに対して行ったタップ操作やフリック操作などのタッチ操作を、タッチ操作が行われた表示面３８ａ上での位置とともに検出し、検出信号を制御部３７へ与える。本実施形態では、操作部は、タッチパネル３１によって実現される。
【００４８】
キー操作部３２は、携帯情報端末装置２の正面部５１に設けられる各種の操作キー３２ａや、長手方向に延びる各側部５３に設けられる図示しない操作キーを有し、ユーザによって任意の操作キーが押圧操作されると、当該操作キーが操作されたことを示す操作信号が、キー操作部３２から制御部３７に与えられる。
【００４９】
通信部３３は、画像表示システム１を構成する他の携帯情報端末装置２に設けられる通信部３３との間で、無線通信可能な接続状態を確立することによって、自装置と該他の携帯情報端末装置２との間でのデータ通信を実行する。
【００５０】
通信部３３は、たとえばＢｌｕｅｔｏｏｔｈ（登録商標）モジュールによって実現される。Ｂｌｕｅｔｏｏｔｈモジュールは、Ｂｌｕｅｔｏｏｔｈ規格に準拠した無線通信を実行する無線通信デバイスである。
【００５１】
情報読取部である無線チップ読取部３４は、ホルダ３に設けられる無線チップ１２と近距離無線通信方式によって通信を行い、当該無線チップ１２から、その記憶部２１に格納されている位置情報２２および認証プログラム２３を取得する。
【００５２】
具体的には、無線チップ読取部３４は、無線チップ１２の記憶部２１に格納されている情報を読み取るための情報読取信号を送信する。無線チップ１２は、外部から受信した情報読取信号に応答して、記憶部２１に格納されている位置情報２２および認証プログラム２３を送信する。これを受信することによって、無線チップ読取部３４は、無線チップ読取部３４は、位置情報２２および認証プログラム２３を取得する。
【００５３】
なお、無線チップ読取部３４と無線チップ１２とは、無線チップ読取部３４から送信される情報読取信号によって無線チップ１２から情報を読み取ることが可能な距離（以下、「読取可能距離」と称する）が、可及的に短くなるように設計されるのが好ましい。
【００５４】
たとえば、無線チップ読取部３４と無線チップ１２とは、読取可能距離が、携帯情報端末装置２が端末保持体１０に装着されたときの無線チップ読取部３４と無線チップ１２との距離よりも僅かに大きくなる程度に設計されるのが好ましい。
【００５５】
このように設計しておくことによって、端末保持体１０に装着された携帯情報端末装置２の無線チップ読取部３４が、当該端末保持体１０とは異なる端末保持体１０に設けられている無線チップ１２から、位置情報２２を取得してしまうことを防止することができる。
【００５６】
記憶部であるフラッシュメモリ３５には、携帯情報端末装置２の基本的な機能を実現するオペレーティングシステムプログラムのほか、たとえばメールアプリケーション（電子メール機能）を実現するためのメールプログラム、ブラウザアプリケーション（Ｗｅｂブラウジング機能）を実現するためのブラウザプログラム、電話帳アプリケーション（電話帳機能）を実現するための電話帳プログラムなどが記憶されている。
【００５７】
さらに、フラッシュメモリ３５には、図３に示すように、ホルダ３に装着された複数の携帯情報端末装置２を互いに連携させて、予め定めるコンテンツのコンテンツ画像を表示させる機能を実現するための画面連携プログラム４０と、そのコンテンツのコンテンツデータ４１とが記憶されている。
【００５８】
制御部３７は、携帯情報端末装置２の各部の動作を制御する処理部であり、たとえばＣＰＵ（Central Processing Unit）によって実現される。制御部３７は、フラッシュメモリ３５からＲＡＭ３６にロードされる、オペレーティングシステムプログラム、各種のアプリケーションプログラム、および画面連携プログラム４０、ならびに、無線チップ１２から取得し、ＲＡＭ３６にロードされた認証プログラム２３を実行する。
以下、本実施形態に係る画像表示システム１の動作について説明する。
【００５９】
図４は、携帯情報端末装置２の制御部３７が画面連携プログラム４０を実行することによって行われる画像表示処理の処理手順を示すフローチャートである。ユーザが、携帯情報端末装置２のタッチパネル３１に対してタッチ操作することによって、画面連携プログラム４０が実行されると、処理が開始されてステップｓ１に進む。
【００６０】
ステップｓ１で、制御部３７は、無線チップ読取部３４を駆動し、情報読取信号を送信させて、ステップｓ２に進む。ステップｓ２で、制御部３７は、無線チップ読取部３４によって位置情報２２および認証プログラム２３が取得されたか否かを判定し、取得されるとステップｓ３に進む。
【００６１】
前記のように、読取可能距離が可及的に短くなるように設計されているので、無線チップ読取部３４の駆動後、ユーザが、その携帯情報端末装置２を、ホルダ３における一の端末保持体１０に装着することによって、当該端末保持体１０に設けられた無線チップ１２から、位置情報２２および認証プログラム２３が取得される。
【００６２】
ステップｓ３で、制御部３７は、取得された認証プログラム２３を実行して、パスコードやＰＩＮコードを用いて認証処理を行い、他の端末保持体１０に装着された他の携帯情報端末装置２との間で、Ｂｌｕｅｔｏｏｔｈ規格に準拠した無線通信が可能な状態を確立する。このようにして、ホルダ３に装着された携帯情報端末装置２同士で無線通信可能な状態が確立されると、ステップｓ４に進む。
【００６３】
ステップｓ４で、制御部３７は、取得された位置情報２２に基づいて、自装置が主端末であるか従端末であるかを判定し、主端末であると判定すると、ステップｓ４に進み、従端末であると判定すると、ステップｓ１１に進む。
【００６４】
本実施形態においては、並び順の１番目であることを示す位置情報２２を取得した場合には、主端末であると判定し、並び順の２〜４番目のいずれかであることを示す位置情報２２を取得した場合には、従端末であると判定するように設定されている。
【００６５】
なお、他の実施形態においては、各端末保持体１０の記憶部２１に、主端末として機能すべきか従端末として機能すべきかを示す情報を格納しておき、その情報に基づいて、自装置が主端末であるか従端末であるかを判定するようにしてもよい。
【００６６】
ステップｓ５で、制御部３７は、自装置の通信部３３を監視し、ステップｓ３で無線通信可能な状態が確立された他の携帯情報端末装置２から位置情報２２が取得されたか否かを判定し、取得されるとステップｓ６に進む。
【００６７】
ステップｓ６で、制御部３７は、取得した他の携帯情報端末装置２の位置情報２２に基づいて、該他の携帯情報端末装置２の配置位置に対応した画像の画像データを、フラッシュメモリ３５に記憶されるコンテンツデータ４１の中から特定するための画像特定情報を生成する。
【００６８】
そして、制御部３７は、自装置の通信部３３を制御し、生成した画像特定情報と、当該画像特定情報によって特定される画像を、該他の携帯情報端末装置２の表示部３８に表示させるための表示指令とを、該他の携帯情報端末装置２へ送信させて、ステップｓ７に進む。
【００６９】
本実施形態においては、フラッシュメモリ３５に記憶されるコンテンツデータ４１は、漫画、小説、新聞などのように、それぞれページ番号が順に付された（連続した識別番号が割り振られた）複数のページから成るコンテンツをデジタル化したデータであり、コンテンツデータ４１には、各ページの画像データが含まれている。
【００７０】
したがって、このステップｓ６では、制御部３７は、取得した他の携帯情報端末装置２の位置情報２２に基づいて、該他の携帯情報端末装置２の表示部３８において表示させるべきページのページ番号を、表示指令とともに送信させる。
【００７１】
具体的には、並び順に従ってページが進行するように表示させる場合、端末保持体１０Ａに保持された携帯情報端末装置２の表示部３８に表示させるべきページのページ番号が「１」であるとすると、制御部３７は、端末保持体１０Ｂに保持された携帯情報端末装置２に対してはページ番号「２」を、端末保持体１０Ｃに保持された携帯情報端末装置２に対してはページ番号「３」を、端末保持体１０Ｄに保持された携帯情報端末装置２に対してはページ番号「４」を、それぞれ表示指令とともに送信させる。
【００７２】
ステップｓ７で、制御部３７は、自装置の表示部３８に表示させるべき画像の画像データを、フラッシュメモリ３５に記憶されるコンテンツデータ４１の中から抽出し、抽出した画像データを、表示部３８に表示させ、ステップｓ８に進む。
【００７３】
ここで、ステップｓ８〜ｓ１０を説明する前に、ステップｓ４において、従端末であると判定された場合について説明する。ステップｓ１１で、制御部３７は、自装置の通信部３３を制御し、自装置の無線チップ読取部３４によって取得された位置情報２２を送信させ、ステップｓ１２に進む。
【００７４】
ステップｓ１２で、制御部３７は、自装置の通信部３３を監視し、画像特定情報および表示指令が取得されたか否かを判定し、取得されるとステップｓ１３に進む。本実施形態においては、前記のように、画像特定情報としてページ番号が取得されたか否かが判定される。
【００７５】
ステップｓ１３で、制御部３７は、取得したページ番号に基づいて、フラッシュメモリ３５に記憶されるコンテンツデータ４１の中から、当該ページ番号に対応した画像データを抽出し、抽出した画像データを、自装置の表示部３８に表示させ、ステップｓ１４に進む。このようにステップｓ７における主端末の表示処理、およびステップｓ１３における各従端末の表示処理が実行されると、各携帯情報端末装置２の表示面３８ａには、互いに関連するコンテンツ画像が表示される。
【００７６】
図５は、ホルダ３に装着された各携帯情報端末装置２の表示面３８ａによってコンテンツ画像が表示された状態の一例を示す図である。本実施形態においては、前記のように、コンテンツデータ４１は、複数のページから成るコンテンツをデジタル化したデータであり、図５に示す例では、端末保持体１０Ａ〜１０Ｄの並び順に従って、ページ番号が「１」〜「４」のページに対応した画像が表示されている。
【００７７】
図５に示すように各表示面３８ａにコンテンツ画像が表示されると、主端末においては、ステップｓ８で、制御部３７は、自装置のタッチセンサ３９から与えられる検出信号を監視し、ユーザによって、各表示面３８ａに表示されているコンテンツ画像の表示態様を変更するための変更操作が行われたか否かを判定するとともに、自装置の通信部３３を監視し、従端末から変更通知信号を受信したか否かを判定する。変更通知信号については後述する。
【００７８】
ここで、本実施形態において、コンテンツ画像の表示態様を変更するとは、各携帯情報端末装置２の表示面３８ａに表示されているコンテンツ画像のページを切り換えることであるものとする。また、表示態様を変更するための変更操作は、表示面３８ａに対するフリック操作によって行われるものとする。
【００７９】
ステップｓ８において、変更操作が行われた、あるいは変更通知信号を受信したと判定されると、ステップｓ９に進む。ステップｓ９で、制御部３７は、他の携帯情報端末装置２の位置情報２２に基づいて、該他の携帯情報端末装置２の表示部３８において表示させるべき切り換え後のページのページ番号を、表示指令とともに送信させ、ステップｓ１０に進む。
【００８０】
ステップｓ１０で、制御部３７は、自装置の表示部３８に表示させるべき画像の画像データを、フラッシュメモリ３５に記憶されるコンテンツデータ４１の中から抽出し、抽出した画像データを、表示部３８に表示させ、ステップｓ８に戻る。
【００８１】
また、コンテンツ画像が表示された後、従端末においては、ステップｓ１４で、制御部３７は、自装置のタッチセンサ３９から与えられる検出信号を監視し、ユーザによって、各表示面３８ａに表示されているコンテンツ画像の表示態様を変更するための変更操作が行われたか否かを判定し、変更操作が行われたと判定されると、ステップｓ１５に進み、変更操作が行われていないと判定されると、ステップｓ１６に進む。
【００８２】
ステップｓ１５で、制御部３７は、自装置の通信部３３を制御し、変更操作が行われたことおよびその変更操作の内容を示す変更通知信号を送信させ、ステップｓ１６に進む。ステップｓ１６で、制御部３７は、自装置の通信部３３を監視し、ページ番号および表示指令が取得されたか否かを判定し、取得されるとステップｓ１７に進み、取得されていない場合には、ステップｓ１４に戻る。
【００８３】
ステップｓ１７で、制御部３７は、取得したページ番号に基づいて、フラッシュメモリ３５に記憶されるコンテンツデータ４１の中から、当該ページ番号に対応した画像データを抽出し、抽出した画像データを、自装置の表示部３８に表示させ、ステップｓ１４に戻る。
【００８４】
図６は、ホルダ３に装着された各携帯情報端末装置２の表示面３８ａによってコンテンツ画像が表示された状態の一例を示す図であり、図５に示される表示状態から、ページが切り換えられた後の表示状態を示している。
【００８５】
前記のように、本実施形態においては、ホルダ３に装着されている各携帯情報端末装置２のうちのいずれか１つの表示面３８ａに対してフリック操作を行うことで、ページを切り換えることができるように構成されている。
【００８６】
たとえば、いずれか１つの表示面３８ａに対して、該表示面３８ａを右から左に弾くようにフリック操作を行うと、ページが進行する方向に切り換わり、該表示面３８ａを左から右に弾くようにフリック操作を行うと、ページが戻る方向に切り換わるように構成されている。
【００８７】
すなわち、図５に示すように、ページ番号が「１」〜「４」のページに対応した画像が表示されている状態から、いずれか１つの表示面３８ａに対して、該表示面３８ａを右から左に弾くようにフリック操作を行うと、図６に示すように、ページ番号が「５」〜「８」のページに対応した画像が表示される状態に切り換えることができる。
【００８８】
逆に、図６に示すように、ページ番号が「５」〜「８」のページに対応した画像が表示されている状態から、いずれか１つの表示面３８ａに対して、該表示面３８ａを左から右に弾くようにフリック操作を行うと、図５に示すように、ページ番号が「１」〜「４」のページに対応した画像が表示される状態に切り換えることができる。
【００８９】
以上のように、本実施形態によれば、それぞれ表示部３８を備える複数の携帯情報端末装置２を、ホルダ３における各端末保持体１０に装着するだけで、各携帯情報端末装置２の表示面３８ａを用いて１つの大きな画面を構築し、その１つの大きな画面を利用してコンテンツを表示させることができる。このように、広く普及しているスマートフォンなどの携帯情報端末装置２を複数台利用して、複雑な設定作業を行うことなく、容易に１つの大きな画面を構築することができるので、ユーザにとっての利便性を向上させることができる。
【００９０】
また、本実施形態に係る画像表示システム１は、１つの大きな画面を構築するための各携帯情報端末装置２が、ホルダ３によってそれぞれ保持されているので、ユーザは、その表示状態を維持したまま、容易に持ち運びすることができる。さらに、本実施形態では、ホルダ３は、折り畳み可能に構成されているので、コンパクトな状態で持ち運びすることができ、携帯性にも優れている。
【００９１】
なお、上記の実施形態では、ホルダ３における４つの端末保持体１０Ａ〜１０Ｄの全てに携帯情報端末装置２が装着された場合について説明しているが、携帯情報端末装置２の個数が、端末保持体１０の個数分準備できない場合であっても動作するように構成されるのが好ましい。
【００９２】
図７は、ホルダ３における３つの端末保持体１０Ａ〜１０Ｃにのみ携帯情報端末装置２が装着された場合のコンテンツ画像の表示状態を示す図であり、図７（ａ）は、ページ切り換え前の表示状態を示し、図７（ｂ）は、ページ切り換え後の表示状態を示している。たとえば、図７に示すように、３つの携帯情報端末装置２が間を空けずにホルダ３に装着された場合には、各携帯情報端末装置２の表示部３８を利用して、３ページずつコンテンツ画像を表示してもよい。
【００９３】
図８は、ホルダ３における３つの端末保持体１０Ａ，１０Ｂ，１０Ｄにのみ携帯情報端末装置２が装着された場合のコンテンツ画像の表示状態を示す図であり、図８（ａ）は、ページ切り換え前の表示状態を示し、図８（ｂ）は、ページ切り換え後の表示状態を示している。またたとえば、図８に示すように、３つの携帯情報端末装置２が間を空けてホルダ３に装着された場合には、携帯情報端末装置２が装着されていない位置に対応したページを飛ばして、４ページずつコンテンツ画像を表示してもよい。
【００９４】
このように、ホルダ３における端末保持体１０の個数分、携帯情報端末装置２を準備できない場合であっても、コンテンツ画像を表示可能に構成することで、ユーザにとっての利便性をさらに向上させることができる。また、図８に示すように、携帯情報端末装置２が装着されていない位置に対応したページを飛ばしてコンテンツ画像を表示することで、全体の雰囲気をつかみ易くすることができる。
【００９５】
また、上記の実施形態では、携帯情報端末装置２が、スマートフォンによって実現されるものとしているが、他の実施形態では、たとえば、ＰＤＡ（Personal Digital Assistant）、電子書籍端末装置、携帯ゲーム機、ポータブルナビゲーション装置などのように、表示部を備える他の端末装置によって実現されてもよい。
【００９６】
また、上記の実施形態では、ホルダ３には、４つの端末保持体１０が設けられているが、端末保持体１０の個数は、２つ、３つ、あるいは５つ以上であってもよい。また、上記の実施形態では、ホルダ３は、複数の端末保持体１０を一列に並べて構成されているが、他の実施形態では、複数の端末保持体１０をマトリクス状に並べて構成してもよい。たとえば、端末保持体１０の個数が４つの場合には、縦横２×２のマトリクス状に端末保持体１０を並べて構成してもよい。
【００９７】
また、上記の実施形態では、ホルダ３に装着された各携帯情報端末装置２の表示面３８ａに、ページごとの画像を表示させる例を挙げているが、たとえば、各表示面３８ａを利用して、写真や絵画などをデジタル化した１つのコンテンツ画像を表示させることもできる。
【００９８】
この場合には、コンテンツ画像の表示態様を変更するとは、たとえば各携帯情報端末装置２の表示面３８ａに表示されているコンテンツ画像を、拡大・縮小あるいはスライド移動させることであってもよく、拡大・縮小を実行するための変更操作は、表示面３８ａに対するピンチイン操作やピンチアウト操作などとすることができる。
【００９９】
また、上記の実施形態では、ホルダ３に装着される各携帯情報端末装置２のそれぞれにおいて、フラッシュメモリ３５にコンテンツデータ４１が記憶されているが、このコンテンツデータ４１は、各無線チップ１２に予め格納しておき、位置情報２２や認証プログラム２３などとともに、携帯情報端末装置２に送信されるようにしてもよく、あるいは、事前に個別にインターネットなどを介して取得したものであってもよい。
【０１００】
また、上記の実施形態では、ホルダ３に装着される各携帯情報端末装置２のそれぞれにおいて、フラッシュメモリ３５にコンテンツデータ４１が記憶され、主端末から従端末へは、画像特定情報が表示指令とともに送信されているが、他の実施形態においては、主端末のフラッシュメモリ３５にのみコンテンツデータ４１を記憶しておき、主端末から従端末へは、従端末の表示部３８によって表示させるべき画像データを、表示指令とともに送信するように構成されてもよい。
【０１０１】
また、上記の実施形態では、ホルダ３に装着される各携帯情報端末装置２同士は、Ｂｌｕｅｔｏｏｔｈ経由で互いに無線通信するように構成されているが、他の実施形態では、無線ＬＡＮ（Local Area Network）経由で互いに無線通信するように構成されてもよく、あるいは、通信ケーブルを用いて電気的に接続することによって、有線で互いに通信するように構成されてもよい。
【０１０２】
また、上記の実施形態では、無線チップ１２から携帯情報端末装置２へは、位置情報２２と認証プログラム２３とが送信されるように構成されているが、その他にも、多数の携帯情報端末装置２での通信になるため、サーバクライアント型のネットワークあるいは、スター型、メッシュ型のネットワークを構築して、相互にデータ通信を行うためのプログラムや、コンテンツ画像を表示するためのビューアプログラムをさらに送信するように構成してもよい。
【０１０３】
また、上記の実施形態では、画面連携プログラム４０が起動されたことをトリガとして、無線チップ読取部３４が駆動して、無線チップ１２から情報を読み取るように構成されているが、他の実施形態では、ホルダ３が折り畳まれた状態から展開状態に遷移したことをトリガとして、無線チップ読取部３４が駆動して、無線チップ１２から情報を読み取るように構成してもよい。この場合、ホルダ３が折り畳まれた状態から展開状態に遷移したこと検出する方法としては、加速度センサによる傾き検出を利用することができる。
【０１０４】
上述した実施形態では、画面連携プログラム４０は、フラッシュメモリ３５に記憶されているが、他の実施形態では、他の半導体メモリやハードディスクなどの記憶デバイスに記憶されていてもよく、または、コンピュータで読取り可能な記録媒体に記録され、外部記憶装置として設けられたプログラム読取装置に該記録媒体を挿入することによって、該記録媒体からプログラムが読み出される構成であってもよい。
【０１０５】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（登録商標）（Electrically Erasable Programmable Read Only Memory）／フラッシュＲＯＭなどの半導体メモリを含む固定的にプログラムを担持する記録媒体であってもよい。
【符号の説明】
【０１０６】
１  画像表示システム
２  携帯情報端末装置
３  ホルダ
１０  端末保持体
１２  無線チップ
２３  認証プログラム
３１  タッチパネル
３３  通信部
３４  無線チップ読取部
３７  制御部
３８  表示部
３８ａ  表示面
３９  タッチセンサ
４０  画面連携プログラム
４１  コンテンツデータ
【図１】
2014071807.tif 000003
【図２】
2014071807.tif 000004
【図３】
2014071807.tif 000005
【図４】
2014071807.tif 000006
【図５】
2014071807.tif 000007
【図６】
2014071807.tif 000008
【図７】
2014071807.tif 000009
【図８】
2014071807.tif 000010